(57)【要約】【課題】発着信時における呼制御を行う際の利用性を向上させることができるようにする。【解決手段】本発明に係る情報処理装置に適用可能な携帯電話機１においては、無線電話通信部１５は、基地局を介した無線電話通信を行い、近距離無線通信部２２は、ヘッドセットとの間で近距離無線通信を行い、ハンズフリー制御部２４は、近距離無線通信部２２による近距離無線通信を介してヘッドセットとの間でのハンズフリー制御を行い、接続管理部２３は、近距離無線通信部２２によるヘッドセットとの間での近距離無線通信での接続を管理し、リンクロスが検出された際にタイマをセットするとともに、タイマ満了時に無線電話通信部１５による呼状態を確認し、タイマ満了時に着信中である場合、タイムアウトを保留する。【選択図】  図２
2008312055.tif 000002
【特許請求の範囲】
【請求項１】
基地局を介した無線電話通信を行う無線電話通信手段と、
対向機器との間で近距離無線通信を行う近距離無線通信手段と、
前記近距離無線通信手段による近距離無線通信手段を介して接続した対向機器との間でハンズフリー通信を行うハンズフリー制御手段と、
前記近距離無線通信手段を介し接続した前記対向機器との接続を管理し、リンクロスが検出された際にタイマをセットするとともに、タイマが満了するまでに前記無線電話通信手段を介した着信の有無を確認し、タイマ満了時に着信中である場合、タイムアウトを保留する接続管理手段とを備えることを特徴とする情報処理装置。
【請求項２】
前記接続管理手段は、タイマ満了時に着信中ではない場合、タイムアウトを行い、リンクロス復旧処理を解除することを特徴とする請求項１に記載の情報処理装置。
【請求項３】
前記接続管理手段は、タイマ満了時に着信中である場合、タイムアウトを保留した後、着信終了時までに前記対向機器からの再接続要求がないとき、タイムアウトするとともに、リンクロス復旧処理を解除することを特徴とする請求項１に記載の情報処理装置。
【請求項４】
前記接続管理手段は、タイマ満了時に着信中である場合、タイムアウトを保留した後、着信終了時までに前記対向機器からの再接続要求があったとき、タイマを停止することを特徴とする請求項１に記載の情報処理装置。
【請求項５】
基地局を介した無線電話通信を行う無線電話通信手段と、
対向機器との間で近距離無線通信を行う近距離無線通信手段と、
前記近距離無線通信手段による近距離無線通信手段を介して接続した対向機器との間でハンズフリー通信を行うハンズフリー制御手段と、
前記近距離無線通信手段を介して接続した前記対向機器との間の接続を管理し、リンクロスが検出された際にタイマをセットするとともに、タイマが満了するまでに前記無線電話通信手段を介した着信の有無を確認し、タイマが満了するまでに着信があった場合、タイムアウトを保留する接続管理手段とを備えることを特徴とする情報処理装置。
【発明の詳細な説明】
【技術分野】
【０００１】
本発明は情報処理装置に係り、特に、発着信時における呼制御を行うことができるようにした情報処理装置に関する。
【背景技術】
【０００２】
近年、例えば電子機器などに適用することができる無線通信技術として例えばブルートゥース（Bluetooth（登録商標））が知られている。このブルートゥースの無線通信技術を用いれば、携帯電話機などの携帯情報端末や携帯型音楽再生機から、オーディオケーブルを用いることなく例えばヘッドセットなどの端末装置にオーディオデータを転送することも可能となる。
【０００３】
オーディオデータの伝送用のプロファイルとして、例えば“Advanced Audio Distribution Profile”（非特許文献１）や“Generic Audio／Video Distribution Profile”（非特許文献２）などが知られている。これらは、ブルートゥース接続された機器間でオーディオデータをリアルタイムにストリーミング転送を行うための規格である。
【０００４】
一方、発着信時における呼制御用のプロファイルとして、例えば“Hands Free Profile”（非特許文献３）や“Bluetooth Hands Free Profile Application Guideline”（非特許文献４）などが知られている。これは、携帯電話機と無線通信可能な対向機器（例えばヘッドセットや車載器など）との間で電話の発着信時における呼制御処理（接続要求、呼出、応答、通話、切断までの一連の処理）を行い、端末装置からハンズフリー状態で通話することを可能とするための規格である。
【非特許文献１】Advanced Audio／Video Distribution Profile（Bluetooth SIG）
【非特許文献２】Generic Audio／Video Distribution Profile（Bluetooth SIG）
【非特許文献３】Hands Free Profile（Bluetooth SIG）
【非特許文献４】Bluetooth Hands Free Profile Application Guideline（Bluetooth SIG）
【発明の開示】
【発明が解決しようとする課題】
【０００５】
ところで、例えば“Hands Free Profile”（非特許文献３）や“Bluetooth Hands Free Profile Application Guideline”（非特許文献４）においては、携帯電話機と対向機器との距離が大きくなることなどによりリンクロスが発生した場合、例えば６０秒間のリンクロス復旧処理としてリンクロス前の状態を保持したまま（すなわち、各種の情報を保持したまま）、対向機器からの再接続要求を待つ動作が規定されている。この動作規定によれば、予めセットされた６０秒間のタイマがタイムアウトすると、リンクロス復旧処理が停止され、リンクロス復旧状態が解除されるとともに、保持されているリンクロス前の状態から通常の待ち受けの状態に移行する。換言すれば、タイムアウト時点を境界にして、タイムアウト前までは携帯電話機と対向機器との間でブルートゥース接続中であり、タイムアウト後からは携帯電話機と対向機器との間でブルートゥース非接続中であると推定されることになる。
【０００６】
しかしながら、この動作規定に従うと、基地局を介して他の携帯電話機からの着信割り込みが６０秒間のタイマの満了直前に入ったときと、タイマ満了直後に入ったときとでは保持されている状態が異なるため、着信時における呼制御での動作が変わってきてしまう。
【０００７】
すなわち、一般に、着信時における呼制御での動作においては、ブルートゥース接続中ではハンズフリー制御によりヘッドセットからブルートゥース専用音が鳴動され、ブルートゥース非接続中では携帯電話機から予め設定された設定音（例えば所望の着信メロディなど）が鳴動される。ところが、着信割り込みが６０秒間のタイマの満了直前に入ったときには、タイムアウト前までは携帯電話機と対向機器との間でブルートゥース接続中であると推定されるため、接続中での着信割り込みとなり、ＨＦＰによりブルートゥース専用音が鳴動される（なお、対向機器と再接続されるまでは対向機器にてブルートゥース専用音が鳴動されることはない）一方、着信割り込みが６０秒間のタイマの満了直後に入ったときには、タイムアウト後から携帯電話機と対向機器との間でブルートゥース非接続中であると推定されるため、非接続中での着信割り込みとなり、携帯電話機にて予めセットされた設定音が鳴動される。なお、このような実装にした理由は、タイムアウト後に再接続されたときに着信中であったとしても、その着信がタイムアウト前のものであるか、あるいはタイムアウト後のものであるかをＨＦＰにより判断することはできないからである。
【０００８】
このように、例えば６０秒間のタイムアウトで一律に非接続となるようにしており、着信割り込みが６０秒間のタイマの満了直前に入ったときとタイマ満了直後に入ったときで大きく着信音の鳴動動作が異なることなり、ユーザにとって例えば６０秒間という時間感覚は正確に認識できるものではなく、ユーザは、この鳴動動作の不一致に関して違和感を受けてしまうという課題があった。
【０００９】
本発明は、このような状況に鑑みてなされたものであり、発着信時における呼制御を行う際の利用性を向上させることができる情報処理装置を提供することを目的とする。
【課題を解決するための手段】
【００１０】
本発明の情報処理装置は、上述した課題を解決するために、基地局を介した無線電話通信を行う無線電話通信手段と、対向機器との間で近距離無線通信を行う近距離無線通信手段と、近距離無線通信手段による近距離無線通信を介して対向機器との間でのハンズフリー制御を行うハンズフリー制御手段と、近距離無線通信手段による対向機器との間での近距離無線通信での接続を管理し、リンクロスが検出された際にタイマをセットするとともに、タイマ満了時に無線電話通信手段による呼状態を確認し、タイマ満了時に着信中である場合、タイムアウトを保留する接続管理手段とを備えることを特徴とする。
【００１１】
本発明の情報処理装置は、上述した課題を解決するために、基地局を介した無線電話通信を行う無線電話通信手段と、対向機器との間で近距離無線通信を行う近距離無線通信手段と、近距離無線通信手段による近距離無線通信手段を介して接続した対向機器との間でハンズフリー通信を行うハンズフリー制御手段と、近距離無線通信手段を介して接続した対向機器との間の接続を管理し、リンクロスが検出された際にタイマをセットするとともに、タイマが満了するまでに無線電話通信手段を介した着信の有無を確認し、タイマが満了するまでに着信があった場合、タイムアウトを保留する接続管理手段とを備えることを特徴とする。
【００１２】
本発明の情報処理装置においては、基地局を介した無線電話通信が行われ、対向機器との間で近距離無線通信を行われ、近距離無線通信を介して対向機器との間でのハンズフリー制御を行われ、対向機器との間での近距離無線通信での接続が管理され、リンクロスが検出された際にタイマがセットされるとともに、タイマ満了時に呼状態が確認され、タイマ満了時に着信中である場合、タイムアウトが保留される。
【００１３】
本発明の情報処理装置においては、基地局を介した無線電話通信が行われ、対向機器との間で近距離無線通信が行われ、近距離無線通信を介して接続した対向機器との間でハンズフリー通信が行われ、近距離無線通信を介して接続した対向機器との間の接続が管理され、リンクロスが検出された際にタイマがセットされるとともに、タイマが満了するまでに無線電話通信手段を介した着信の有無が確認され、タイマが満了するまでに着信があった場合、タイムアウトが保留される。
【発明の効果】
【００１４】
本発明によれば、発着信時における呼制御を行う際の利用性を向上させることができる。
【発明を実施するための最良の形態】
【００１５】
以下、本発明の実施の形態について、図面を参照しながら説明する。図１に示されるように、携帯電話機１の近傍には、本発明に係る対向機器として適用可能なヘッドセット２が配置されている。ヘッドセット２は、携帯電話機１から無線通信（例えばブルートゥースなど）を用いて転送されたオーディオデータを受信し、リアルタイムに再生することができる。また、ハンズフリー制御により発着信時における呼制御を行うことができる。なお、対向機器としてヘッドセット２以外に図示せぬ車載器などを用いるようにしてもよい。
【００１６】
図２は、図１の携帯電話機１の内部の構成を表している。図２に示されるように、携帯電話機１は、制御部１１、表示部１２、入力部１３、記憶部１４、無線電話通信部１５、信号処理部１６、ＰＣＭコーデック１７、マイクロフォン１８、スピーカ１９、メディアプレイヤ部２０、コンテンツ処理部２１、近距離無線通信部２２、および接続管理部２３、およびハンズフリー制御部２４がバス２５により相互に接続されて構成されている。
【００１７】
制御部１１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部１４からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００１８】
表示部１２は、例えばＬＣＤ（Liquid Crystal Display）などからなり、入力部１３は図示せぬ操作キーや操作ボタンなどにより構成される。
【００１９】
無線電話通信部１５は、図示せぬ基地局から送信された無線信号を、図示せぬアンテナを介して受信し、受信された無線信号のダウンコンバートを行って中間周波信号を求め、さらに直交復調処理、ＲＡＫＥ受信機（図示せず）による各パスの逆拡散及び合成処理などを行う。その後、このＲＡＫＥ受信機から出力された受信パケットデータは、信号処理部１６に入力される。
【００２０】
信号処理部１６は、例えばＤＳＰ（Digital Signal Processor）などからなり、無線電話通信部１５を介して送受信される音声信号の符号化・復号化を実行するスピーチコーデックを備えている。
【００２１】
そして、このような復号処理により得られたディジタル音声信号は、ＰＣＭコーデック１７によりＰＣＭ復号された後、増幅されてスピーカ１９により出力される。一方、マイクロフォン１８から入力された音声信号はＰＣＭコーデック１７でディジタル音声信号に変調してスピーチコーデックに入力される。
【００２２】
メディアプレイヤ部２０は、例えばオーディオデータを再生するための音楽プレイヤ機能を実行する。勿論、携帯電話機１に地上波ディジタルワンセグ・ラジオ受信部などを設けるようにして、例えば地上波ディジタルワンセグ放送波を受信する際のアプリケーションプログラムを実行することによる地上波ディジタルワンセグプレイヤ機能などの各種のメディアプレイヤを実行するようにしてもよい。
【００２３】
コンテンツ処理部２１は、デコーダ２４とエンコーダ２５からなり、デコーダ２４は、例えばメディアプレイヤ部２０が音楽プレイヤ機能を制御する際に、例えばＡＡＣやａａｃＰｌｕｓ、ＭＰ３、ＡＴＲＡＣ、ＳＢＣなどの符号化方式で符号化（エンコード）されたオーディオデータを、一旦、その符号化方式に対応する復号化方式で復号化（デコード）する。そして、コンテンツ処理部２１のエンコーダ２５は、デコーダ２４により復号化（デコード）されたアナログのオーディオデータを他の符号化方式によって再符号化処理などを施す。
【００２４】
また、メディアプレイヤ部２０がワンセグプレイヤ機能を実行する場合は、上記ＡＡＣなどのオーディオデータの符号化、復号化処理を行う以外に、ＭＰＥＧ４やＨ．２６４のような符号化方式と復号化方式を用いて符号化、復号化処理を行うようにしてもよい。
【００２５】
近距離無線通信部２２は、例えばブルートゥース（Bluetooth（登録商標））による無線通信を行うモジュールなどからなり、携帯電話機１の近傍に存在するヘッドセット２などと無線通信を行う。勿論、ブルートゥース以外の無線通信（例えば赤外線通信）を用いるようにしてもよい。
【００２６】
接続管理部２３は、近距離無線通信部２２によるヘッドセット２との間での近距離無線通信での接続を管理する。特に、接続管理部２３は、携帯電話機１とヘッドセット２との距離が大きくなることなどにより発生するリンクロスを検出し、このリンクロスを検出した場合、リンクロス復旧処理を行う際に用いられるタイマをセットする。
【００２７】
ハンズフリー制御部２４は、ＨＦＰを実行することでヘッドセット２とのハンズフリーセッションを確立するとともに、発着信時における呼制御（接続要求、呼出、応答、通話、および切断までの一連の処理）を行い、携帯電話機１とヘッドセット７２との間におけるハンズフリー制御を行う。
【００２８】
次に、図３のフローチャートを参照して、図２の携帯電話機１における接続管理処理について説明する。この接続管理処理は、携帯電話機１とヘッドセット２との間でハンズフリーセッションが確立された後、携帯電話機１とヘッドセット２との間でリンクロスが発生した場合に開始される。なお、図４は、図３のフローチャートを用いて説明する接続管理処理を実行する際の、携帯電話機１とヘッドセット２との間における具体的な処理のシーケンスを表している。
【００２９】
ステップＳ１において、ハンズフリー制御部２４は、近距離無線通信部２２を介してヘッドセット２との間でハンズフリーセッションを確立する（図４のステップＳ２１）。すなわち、ハンズフリー制御部２４は、ヘッドセット２とのハンズフリーセッションの確立を要求するハンズフリーセッション確立要求を生成し、生成されたハンズフリーセッション確立要求を近距離無線通信部２２を介してヘッドセット２に無線通信により送信する。その後、ハンズフリー制御部２４は、近距離無線通信部２２を介して、ハンズフリーセッション確立要求に対する応答であるハンズフリーセッション確立応答をヘッドセット２から取得する。これにより、携帯電話機１とヘッドセット２との間でハンズフリーセッションが確立する。
【００３０】
その後、ステップＳ２において、携帯電話機１とヘッドセット２とのの距離が大きくなることなどによりリンクロスが発生する（図４のステップＳ２２）。
【００３１】
このとき、ステップＳ３において、接続管理部２３は、携帯電話機１とヘッドセット２との距離が大きくなることなどにより発生するリンクロスを検出し、このリンクロスを検出した場合、リンクロス復旧処理を行う際に用いられるタイマ（予め設定された所定の時間Ｔ（例えば６０秒間など）のタイマ）をセットする（図４のステップＳ２３）。
【００３２】
ステップＳ４において、接続管理部２３は、セットされたタイマの満了時であるか（所定の時間Ｔが経過したか）否かを判定し、タイマ満了時である（所定の時間Ｔが経過した）と判定するまで待機する。ステップＳ４においてタイマ満了時であると判定された場合、接続管理部２３はステップＳ５で、呼状態を確認し、無線電話通信部１５を介して他の携帯電話機１（勿論、図示せぬ固定電話機などでもよい）からの着信割り込みがあり（図４のステップＳ２４乃至Ｓ２５）、着信中であるか否かを判定する。
【００３３】
ステップＳ５において他の携帯電話機１からの着信中であると判定された場合、接続管理部２３はステップＳ６で、リンクロス復旧処理を行う際に用いられるタイマのタイムアウトを保留し、タイムアウトを一時的に遅延させる（図４のステップＳ２６）。
【００３４】
ステップＳ７において、近距離無線通信部２２は、リンクロス発生に伴い、ヘッドセット２から再接続要求を受信し、受信された再接続要求を接続管理部２３に供給する。接続管理部２３は、近距離無線通信部２２から供給された再接続要求を取得する（図４のステップＳ２７）。その後、ステップＳ８において、接続管理部２３は、保持されている各種の情報を用いてハンズフリーセッションの再接続処理を行い、ヘッドセット２との接続を再確立する（図４のステップＳ２８）。ステップＳ９において、接続管理部２３は、ヘッドセット２との間でのハンズフリーによる接続が再度確立されたことから、保留されているタイマを停止（クリア）する（図４のステップＳ２９）。これにより、タイムアウトが保留されていたタイマが停止（クリア）される。なお、携帯電話機１側にて再接続要求が拒否されたときには、このタイマは停止（クリア）されない。ステップＳ１０において、接続管理部２３は、ヘッドセット２との間でのハンズフリーによる接続が再度確立されたことから、リンクロス復旧処理を停止し、リンクロス復旧状態を解除する。
【００３５】
ステップＳ１１において、ハンズフリー制御部２４は、ハンズフリー制御を行い、ブルートゥース専用音に関するデータをヘッドセット２に転送する（図４のステップＳ３０）。ステップＳ１２において、接続管理部２３は、無線電話通信部１５を介して他の携帯電話機１（勿論、図示せぬ固定電話機などでもよい）との着信が終了したか否かを判定し、他の携帯電話機１との着信が終了したと判定するまで待機する。ステップＳ１２において他の携帯電話機１との着信が終了したと判定された場合（図４のステップＳ２９乃至Ｓ３０）、この接続管理処理は終了される。
【００３６】
一方、ステップＳ４において他の携帯電話機１からの着信中ではないと判定された場合、接続管理部２３はステップＳ１３で、保留されているタイマのタイムアウトを行う。そして、ステップＳ１４において、接続管理部２３は、リンクロス復旧処理を停止し、リンクロス復旧状態を解除する。その後、携帯電話機１においては待ち受け状態に戻る。
【００３７】
本発明の実施形態においては、図示せぬ基地局を介した無線電話通信を行い、ヘッドセット２との間で近距離無線通信を行い、近距離無線通信部２２による近距離無線通信を介してヘッドセット２との間でのハンズフリー制御を行い、近距離無線通信部２２によるヘッドセット２との間での近距離無線通信での接続を管理し、リンクロスが検出された際にタイマをセットするとともに、タイマ満了時に無線電話通信部１５による呼状態を確認し、タイマ満了時に着信中である場合、タイムアウトを保留することができる。そして、タイマ満了時に着信中である場合、タイムアウトを保留した後、着信終了時までにヘッドセット２からの再接続要求がないときには、タイムアウトするとともに、リンクロス復旧処理を解除することができる。さらに、タイマ満了時に着信中である場合、タイムアウトを保留した後、着信終了時までにヘッドセット２からの再接続要求があったとき、タイマを停止（クリア）することができる。
【００３８】
これにより、従来、非接続中での着信割り込みとなり、携帯電話機１にて予めセットされた設定音が鳴動されていた状態を、接続中での着信割り込みとして認識し、リンクロス復旧処理として動作することが可能となってＨＦＰによりブルートゥース専用音が鳴動させることができるとともに、ＨＦＰによりブルートゥース専用音が鳴動される場合と、携帯電話機１にて予めセットされた設定音が鳴動される場合との不一致を解消することができ、着信割り込みが６０秒間のタイマの満了直前に入ったときとタイマ満了直後に入ったときで大きく着信音の鳴動動作の整合性を取ることができる。従って、ユーザがこの鳴動動作の不一致に関して違和感を受けてしまうことを回避することができる。その結果、発着信時における呼制御を行う際の利用性を向上させることができる。
【００３９】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【００４０】
また、本発明の実施形態において説明した一連の処理は、ソフトウェアにより実行させることもできるが、ハードウェアにより実行させることもできる。
【００４１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００４２】
【図１】本発明に係る情報授受のシステムの概略的な構成を示す図。
【図２】本発明の情報処理装置に適用可能な携帯電話機の内部の構成を示すブロック図。
【図３】図２の携帯電話機における接続管理処理を説明するフローチャート。
【図４】図３のフローチャートを用いて説明する接続管理処理を実行する際の、携帯電話機とヘッドセットとの間における具体的な処理のシーケンスを示すシーケンス図。
【符号の説明】
【００４３】
１…携帯電話機、２…ヘッドセット、１１…制御部、１２…表示部、１３…入力部、１４…記憶部、１５…無線電話通信部、１６…信号処理部、１７…ＰＣＭコーデック、１８…マイクロフォン、１９…スピーカ、２０…メディアプレイヤ部、２１…コンテンツ処理部、２２…近距離無線通信部、２３…接続管理部、２４…ハンズフリー制御部、２５…バス。
【図１】
2008312055.tif 000003
【図２】
2008312055.tif 000004
【図３】
2008312055.tif 000005
【図４】
2008312055.tif 000006